(57)【特許請求の範囲】
【請求項１】
一端側に投入口および他端側に排出口が形成されたケーシング内に、複数本の廃棄物供給用スクリューが水平方向で且つ互いに平行に配置された廃棄物供給機における上記ケーシングの排出口側に解砕装置を配置し、
この解砕装置は、上記隣り合うスクリュー同士間に且つ廃棄物の排出方向に対向するように配置された略円錐状の回転体の表面に略放射状に設けられて上記排出口から排出される廃棄物を解砕する解砕羽根と、
この回転体の裏面に、または当該回転体の後方に連結された回転軸体の外周に、略放射状に突設されて当該解砕羽根により解砕された廃棄物を撹拌する撹拌羽根と、
これら解砕羽根および撹拌羽根を回転させる回転駆動装置とから構成され、
さらに回転体の正面視において、上記攪拌羽根が上記各解砕羽根同士間に配置されたことを特徴とする廃棄物供給装置。
【発明の詳細な説明】
【０００１】
【発明の属する技術分野】
本発明は、都市ごみ、産業廃棄物などの廃棄物を焼却炉、またはガス化溶融炉に供給するための廃棄物供給装置に関するものである。
【０００２】
【従来の技術】
従来、廃棄物を焼却炉に供給する装置としては、図５および図６に示すように、二軸式スクリューの廃棄物供給装置が提案されている。
【０００３】
この廃棄物供給装置５１は、一端側に供給口５２および他端側に排出口５３が形成された略筒形状のケーシング５４内に、スクリュー羽根５５Ａを有する一対の廃棄物供給用スクリュー５５、５５が水平方向で且つ互いに平行に配置され、また上記ケーシング５４の排出口５３側には、解砕装置５６が設けられ、この解砕装置５６には、一対の解砕用スクリュー５７、５７が鉛直方向で且つ互いに平行に配置されており、上記廃棄物供給用および解砕用スクリュー５５、５５、５７、５７が、矢印５８の示す方向に、モーター５９、６０により回転駆動されるものである。
【０００４】
上記構成において、ケーシング５４内に投入された廃棄物は、ケーシング５４内の一対の廃棄物供給用スクリュー５５、５５が回転してスクリュー羽根５５Ａ、５５Ａ間に挟み込まれて圧縮され、順次供給口５２側から排出口５３側に搬送される。そして、排出口５３側から排出される廃棄物は、解砕装置５６を構成する一対の解砕用スクリュー５７、５７間に取り込まれることにより、解砕され、下方の焼却炉に落下して供給される。
【０００５】
【発明が解決しようとする課題】
ところが、上記従来の構成によると、ケーシング５４の排出口５３から排出される廃棄物は、解砕装置５６の解砕用スクリュー５７により解砕される際に、排出口５３と、解砕用スクリュー５７の取り込み部５７Ａとの間に距離があるため、ケーシング５４の排出口５３側の一対の廃棄物供給用スクリュー５５、５５同士間に上記廃棄物が集積して圧密化し、それが成長して、解砕用スクリュー５７で解砕できなくなることがある。したがって焼却炉に供給される廃棄物は、定量ずつ供給されなくなり、焼却炉の運転が不安定になるといった問題点があった。
【０００６】
そこで、本発明は、これらの問題を解決するようになされたもので、焼却炉に供給する廃棄物を確実に解砕して焼却炉に定量ずつ供給し、焼却炉の運転を安定させる廃棄物供給装置を提供することを目的としている。
【０００７】
【課題を解決するための手段】
上記課題を解決するため、本発明の廃棄物供給装置は、一端側に投入口および他端側に排出口が形成されたケーシング内に、複数本の廃棄物供給用スクリューが水平方向で且つ互いに平行に配置された廃棄物供給機における上記ケーシングの排出口側に解砕装置を配置し、
この解砕装置は、上記隣り合うスクリュー同士間に且つ廃棄物の排出方向に対向するように配置された略円錐状の回転体の表面に略放射状に設けられて上記排出口から排出される廃棄物を解砕する解砕羽根と、この解砕羽根の後方に配置された回転軸体の外周に略放射状に突設されて当該解砕羽根により解砕された廃棄物を撹拌する撹拌羽根と、これら解砕羽根および撹拌羽根を回転させる回転駆動装置とから構成され、かつ上記攪拌羽根が上記各解砕羽根同士間に配置されたものである。
【０００８】
また、請求項２記載の廃棄物供給装置は、請求項１記載の廃棄物供給装置における解砕装置の解砕羽根および撹拌羽根を互いに異なる速度で回転させるものである。
【０００９】
上記廃棄物供給装置によると、解砕装置を廃棄物供給機のケーシングの排出口側の隣り合うスクリュー同士間に対向して配置するとともに、
略円錐状の回転体の表面に略放射状に設けられた解砕羽根と、この解砕羽根の後方に設けられた回転軸体に略放射状に突設された攪拌羽根とにより構成し、さらに上記攪拌羽根を各解砕羽根同士間に配置させたので、排出口から排出される廃棄物を解砕羽根により解砕した後、その後方でかつ中間に配置された撹拌羽根によりさらに確実に分断して周囲に分散させることができる。
【００１０】
【発明の実施の形態】
本発明の廃棄物供給装置は、都市ごみ、産業廃棄物などの廃棄物を焼却炉に供給するためのものである。
【００１１】
以下、本発明の第１の実施の形態の廃棄物供給装置を図１〜図４に基づき説明する。
図１および図２に示すように、この廃棄物供給装置１は、都市ごみ、産業廃棄物などの廃棄物が投入されるホッパー２と、このホッパー２の下方に配置されて一端側にホッパー２と連通する投入口３が形成されるとともに他端側に排出口４が形成された略筒状のケーシング５と、このケーシング５内に水平方向で且つ互いに平行に所定間隔でもって配置されて回転軸部６の外周にスクリュー羽根７Ａが設けられてなる一対の廃棄物供給用スクリュー７、７と、これら一対の廃棄物供給用スクリュー７、７を互いに逆方向（矢印８の方向）に回転させる電動機９（回転駆動装置の一例で油圧モータを使用してもよい）とから成る廃棄物供給機１０およびこの廃棄物供給機１０におけるケーシング５の排出口４側に配置された解砕装置１１とから構成されている。
【００１２】
上記解砕装置１１は、ケーシング５の後方側に配置されてこのケーシング５の排出口４から排出される廃棄物を焼却炉（図示せず）に導くシュータ１２内に設けられるとともに、上記隣り合う廃棄物供給用スクリュー７、７同士間に且つ排出方向に対向するように配置されて、この排出口４から排出される廃棄物を解砕する解砕羽根１３を有するとともに水平軸心回りに回転自在の略円錐状の回転体１４と、この回転体１４に連結される回転軸体１５と、上記解砕羽根１３の直ぐ後方で且つ回転軸体１５の外周部にそれぞれ略放射状に突出して設けられて解砕羽根１３により解砕された廃棄物を撹拌する板状の撹拌羽根１６と、上記シュータ１２の側壁部１２ａに設けられて上記回転軸体１５を支持する軸受体１７と、これら回転体１４および回転軸体１５（解砕羽根１３および撹拌羽根１６）を回転駆動させる電動機１８とから構成されている。なお、上記回転体１４に設けられた解砕羽根１３は、図３に示すように、正面視において回転体１４の円錐軸中心部１４ａから略放射状に例えば該回転体１４の円周方向を３等分するように３個設けられ、一方、上記回転軸体１５に設けられた撹拌羽根１６は、正面視において、各解砕羽根１３、１３同士間から回転体１４の外周部に突出して例えば３枚設けられ、解砕羽根１３の両側から排出される廃棄物も撹拌できるようにしている。
【００１３】
また上記解砕装置１１の下方には、解砕および撹拌された廃棄物が供給される焼却炉が配置されている。
上記構成において、ホッパー２からケーシング５の投入口３を介して、ケーシング５内に投入された廃棄物は、一対の廃棄物供給用スクリュー７、７が逆回転することにより、スクリュー羽根７Ａ、７Ａ同士間に挟み込まれて圧縮され、順次投入口３側から排出口４側に搬送されて排出される。この排出口４側の一対の廃棄物供給用スクリュー７、７同士間から排出される廃棄物は、解砕装置１１により解砕および撹拌される。
【００１４】
すなわち、上記廃棄物は、回転体１４が回転軸体１５を介して回転することにより、回転体１４の解砕羽根１３により解砕され、この解砕された廃棄物が回転軸体１５に設けられた撹拌羽根１６により、さらに撹拌されて分断され、周囲に分散される。したがって塊状の廃棄物、または大量の廃棄物が上記排出口４から排出された場合でも、まとまって落ちる（どか落ちする）のが防止される。また上記撹拌羽根１６は、長いひも状の廃棄物が解砕装置１１の回転軸体１５に巻き付くのを防止することもできる。
【００１５】
上述したように上記解砕装置１１は、上記ケーシング５の排出口４側の一対の廃棄物供給用スクリュー７、７同士間に且つ廃棄物の排出方向に対向するように配置されているため、特に、解砕羽根１３が設けられた回転体１４がケーシング５内の一対の廃棄物供給用スクリュー７、７同士間に位置しているため、上記排出口４から排出される廃棄物を、上記解砕装置１１の解砕羽根１３により、確実に解砕でき、またこの解砕羽根の後方に設けられた撹拌羽根１６により、この解砕された廃棄物をさらに分断して周囲に分散でき、したがって焼却炉に定量ずつ供給でき、延いては焼却炉の運転を安定させることができる。
【００１７】
さらに上記実施の形態においては、ケーシング５内に水平方向で且つ互いに平行に配置された一対の廃棄物供給用スクリュー７、７を説明したが、図４に示すように、ケーシング５内に水平方向で且つ互いに平行に３本の廃棄物供給用スクリュー７、７、７を配置してもよい。この場合、上記ケーシング５の排出口４側に、これら３本の廃棄物供給用スクリュー７、７、７同士間に且つ排出方向に対向するように２台の解砕装置１１、１１を所定間隔でもって配置し、これら隣り合う解砕装置１１の撹拌羽根１６、１６同士を、互いにぶつかり合わないように且つ互いに逆方向に回転させて、上記ケーシング５の排出口４側から排出される廃棄物を解砕および撹拌する。
【００１８】
また上記実施の形態における解砕装置１１の撹拌羽根１６を回転軸体１５の外周部に設ける代わりに、解砕羽根１３を有する回転体１４の裏面側に設けてもよい。
【００１９】
【発明の効果】
本発明の廃棄物供給装置によれば、解砕装置を廃棄物供給機のケーシングの排出口側の隣り合うスクリュー同士間に対向して配置しているため、上記排出口から排出される廃棄物を、上記解砕装置に設けられた解砕羽根により、確実に解砕でき、またこの解砕羽根の後方に設けられた撹拌羽根により、この解砕された廃棄物をさらに分断して周囲に分散でき、したがって焼却炉に定量ずつ供給でき、延いては焼却炉の運転を安定させることができる。
【図面の簡単な説明】
【図１】本発明の廃棄物供給装置の断面図である。
【図２】同廃棄物供給装置の水平断面図である。
【図３】同廃棄物供給装置のＡ−Ａ断面図である。
【図４】同廃棄物供給装置の変形例の水平断面図である。
【図５】従来の二軸式スクリューの廃棄物供給装置の断面図である。
【図６】同廃棄物供給装置の一部切欠平面図である。
【符号の説明】
１      廃棄物供給装置
３      投入口
４      排出口
５      ケーシング
７      廃棄物供給用スクリュー
１０    廃棄物供給機
１１    解砕装置
１３    解砕羽根
１６    撹拌羽根
１８    電動機
【図１】
0003821651.tif 000002
【図２】
0003821651.tif 000003
【図３】
0003821651.tif 000004
【図４】
0003821651.tif 000005
【図５】
0003821651.tif 000006
【図６】
0003821651.tif 000007